(57)【要約】【課題】載置台上に載置されている物品を、容易に手元に持ち来たして取り出せることを目的とする。【解決手段】本発明は、基台と、当該基台に立設される支持軸と、当該支持軸にその周囲を回転可能に装着されている複数枚の載置棚とからなる回転載置装置であって、前記載置棚に載置されている物品のうち所望の物品を取り出すためには、前記載置棚を適宜回転させ、当該所望の物品を手前に引き寄せる。【選択図】図１
2007037950.tif 000002
【特許請求の範囲】
【請求項１】
基台と、当該基台に立設される支持軸と、当該支持軸にその周囲を回転可能に装着されている複数枚の載置棚とからなる回転載置装置。
【請求項２】
支持軸に、複数枚の載置棚が鉛直方向に相互に離間して装着されている請求項１記載の回転載置装置。
【請求項３】
基台の上部に、最下段の載置棚の底面に転接し当該載置棚を底面から保持するローラが回転自在に装着されている請求項１もしくは請求項２記載の回転載置装置。
【請求項４】
最下段の載置棚には比較的重量物が載置され、上段の載置棚には比較的軽量物が載置されるように構成されている請求項１ないし請求項３のいずれかに記載の回転載置装置。
【請求項５】
支持軸に円筒状の保持筒が嵌入されており、当該保持筒の上端部に上段の載置棚が回転自在に装着されている請求項１ないし請求項４のいずれかに記載の回転載置装置。
【請求項６】
最下段の載置棚は、基台にスペーサを介して装着されている請求項１ないし請求項５のいずれかに記載の回転載置装置。
【請求項７】
保持筒の上端部と、上段の載置棚の下面との間に、軸受が介装されている請求項５もしくは請求項６記載の回転載置装置。
【請求項８】
最下段の載置棚の下面と、スペーサの上面との間に、軸受が介装されている請求項６もしくは請求項７記載の回転載置装置。
【請求項９】
少なくとも基台と、支持軸と、各載置棚が相互に着脱可能に結合されている請求項１ないし請求項８のいずれかに記載の回転載置装置。
【発明の詳細な説明】
【技術分野】
【０００１】  本発明は、テーブル上などにセットし、飲食物や嗜好品、文房具などの各種物品を載置するための載置装置に関するもので、載置棚が回転する構成となっており、人間が前記載置棚を回転させることによって、載置棚に載置されている所望の物品を容易に手前に持ち来たすことの可能な装置である。
【背景技術】
【０００２】  従来より、回転テーブルとして中国料理の食卓や、醤油やソースの容器が載置された回転可能な調味料棚は周知である。【０００３】  これらの回転棚は単体であって、中国料理の食卓は、回転テーブル上にランダムに置かれた各種料理のうち自分が欲する料理を手元に持ち来たすために、前記回転テーブルを手動で適宜回転させて前記料理を手元に持ち来たし、当該料理を摘まんで食するように構成されている。【０００４】  また、調味料棚は、小型で数個の調味料容器が載置され、中央部にこれを保持搬送する際に把持する取手が設けられていて、所望の調味料を取り出す際には前記調味料棚を適宜回転させるように構成されている。
【発明が解決しようとする課題】
【０００５】  前述のように、従来の中国料理の食卓では単に料理を手前に持ち来たすだけの機能しか存在せず、また調味料棚も当該調味料を搬送したり手前に持ち来たす機能しかなかった。
【０００６】  また、食卓上に設置される物品収納棚は一般に固定されており、奥側に収納されている物品を取り出すには、人が当該物品収納棚まで移動して、奥側の物品を取り出す必要があるが、老人や足腰に障害がある人にはこの動作が億劫となっていた。
【０００７】  更に、奥側にある物品を直接取り出せない場合は、先ず手前にある物品を一旦取り出して、奥側にある物品を通過させるための通路を空け、奥側にある目的の物品を取り出した後に、再度手前の物品を元の位置に戻すという面倒な作業を強いられていた。
【０００８】  特に、隔壁によって鉛直断面がコ字状に構成されているような場所（例えば食器戸棚の中）に物品収納棚が挿入されていると、奥側の物品は大変取り出しにくいことになる。
【０００９】  本発明は、多数の物品を収納すると共に、身体を移動させることなく、また閉空間にある物品を容易に手前に持ち来たす機能をも有する回転載置装置に関するものである。
【課題を解決するための手段】
【００１０】
【００１１】  第１の発明は、基台と、当該基台に立設される支持軸と、当該支持軸にその周囲を回転可能に装着されている複数枚の載置棚とからなる回転載置装置である。
【００１２】  本発明では、複数枚の載置棚が支持軸に回転可能に装着されているので、前記載置棚上に載置されている物品を手元に持ちきたすには、前記載置棚の縁部を把持して所望の物品が手前に来るように回転させれば当該物品を容易に取り出すことができる。
【００１３】  第２の発明は、前記第１の発明を前提とし、支持軸に、複数枚の載置棚が鉛直方向に相互に離間して装着されている回転載置装置である。
【００１４】  本発明では、複数枚の載置棚が鉛直方向に相互に離間して装着されているので、下段の載置棚にも物品を充分に載置することが可能となる。
【００１５】  第３の発明は、前記第１もしくは第２の発明を前提とし、基台の上部に、最下段の載置棚の底面に転接し、当該収納棚を保持するローラが回転自在に装着されている回転載置装置である。
【００１６】  本発明では、最下段の載置棚の底面に転接し、当該載置棚を底面から保持するローラが回転自在に装着されているので、最下段の載置棚に重量物を載置しても、当該載置棚が傾斜したり載置棚自体の回転が円滑でなくなるというようなことはない。
【００１７】  第４の発明は、前記第１ないし第３のいずれかの発明を前提とし、最下段の載置棚には比較的重量物が載置され、上段の載置棚には比較的軽量物が載置されるように構成されている回転載置装置である。
【００１８】  本発明では、最下段の載置棚には比較的重量物が載置され、上段の載置棚には比較的軽量物が載置されるように構成されているので、上段には軽量の調味料などを載置し、最下段には比較的重量が大である飲食物を載置すると、上部は軽く、下部は重くなって装置全体の安定性が高まる。
【００１９】  第５の発明は、前記第１ないし第４のいずれかの発明を前提とし、支持軸に円筒状の保持筒が嵌入されており、当該保持筒の上端部に上段の載置棚が回転自在に装着されている回転載置装置である。
【００２０】  本発明では、支持軸に円筒状の保持筒が嵌入されており、当該保持筒の上端部に上段の載置棚が回転自在に装着されているので、前記上段の載置棚は前記保持筒に安定的に保持され、円滑に回転し得ることになる。
【００２１】  第６の発明は、前記第１ないし第５のいずれかの発明を前提とし、最下段の載置棚は、基台にスペーサを介して装着されている回転載置装置である。
【００２２】  本発明では、最下段の載置棚は、基台にスペーサを介して装着されているので、当該スペーサの厚み寸法を適宜選択することによって、基台の上面と最下段の載置棚の下面との寸法を適宜設定することができる。
【００２３】  第７の発明は、前記第５もしくは第６の発明を前提とし、保持筒の上端部と、上段の載置棚の下面との間に、軸受が介装されている回転載置装置である。
【００２４】  本発明では、保持筒の上端部と、上段の載置棚の下面との間に、軸受が介装されているので、上段の載置棚は保持筒の上端部でより円滑に回転することになる。
【００２５】  第８の発明は、前記第６もしくは第７の発明を前提とし、最下段の載置棚の下面と、スペーサの上面との間に、軸受が介装されている回転載置装置である。
【００２６】  本発明では、最下段の載置棚の下面と、スペーサの上面との間に、軸受が介装されているので、最下段の載置棚はスペーサの上面で、より円滑に回転することになる。
【００２７】  第９の発明は、前記第１ないし第８のいずれかの発明を前提とし、少なくとも基台と、支持軸と、各載置棚が相互に着脱可能に結合されている回転載置装置である。
【００２８】  本発明では、少なくとも基台と、支持軸と、各載置棚が相互に着脱可能に結合されているので、本装置を搬送する際には、これらの部品を分解して全体としてその体積を低減させ、また使用時にはこれらの部品を組み立てることが可能となる。
【発明を実施するための最良の形態】
【００２９】  図面はいずれも各種の実施の形態を示すもので、図１は一実施例の断面図、図２はその外観斜視図である。【００３０】  これらの図において、１は円盤状の基台で、その底面には座ぐり部１３が削設され、当該座ぐり部１３に嵌入し得るフランジ部１４が底部に形成されている保持筒３が、前記基台３の底部から挿入されている。【００３１】  また、前記保持筒３には、大径の頭部と、当該保持筒３の挿通孔１５に嵌入し得る外径の軸部１６を有する支持軸２が挿通されている。【００３２】  前記保持筒３の上端部には、表面が円滑なプラスチック薄板にて形成されている軸受９が装着されており、前記支持軸２の頭部の下面と軸受９との間に、円盤状で直径が４０ｃｍ程度の上段の載置棚４が回転自在に装着されている。【００３３】  前記基台１の上面には、前記保持筒３の外径に嵌入し得る内径を有するスペーサ８が装着され、前記スペーサの８の上面には前記軸受９と同様な材質であるが大型の軸受１０が装着されており、当該軸受１０の上面に、前記上段の載置棚４と同様の大きさの最下段の載置棚５が回転自在に装着されている。【００３４】  また、前記基台１には、最下段の載置棚５の底面に転接し当該載置棚５を底面から保持するローラ１１が回転自在に装着されている。【００３５】  前記ローラ１１は前記スペーサ８の周囲に３個ないし４個配備されている。【００３６】  前記スペーサ８の厚みは前記ローラ１１の高さ寸法に合致させて適宜設定できるように構成されている。【００３７】  かように、最下段の載置棚５の底面に転接し当該載置棚５を底面から保持するローラ１１が回転自在に装着されていると、最下段の載置棚５に比較的重量の大である飲食物７のような物品を載置しても、当該載置棚５が傾斜したり、載置棚５自体の回転が円滑でなくなるというようなことはない。【００３８】  なお、上段の載置棚４には比較的重量の小である調味料６のような物品を載置するのが適している。【００３９】  而して、人間が所望の物品を手元に持ち来たすには、いずれかの載置棚４、５の縁部を把持しこれを回転させれば、当該所望の物品を容易に取り出すことができる。【００４０】  なお、図２に鎖線で示すように、第３の載置棚１２を更に追加することも可能であり、上段の載置棚４を最下段の載置棚５よりも小型にすると、装置全体の安定性は高まることになる。【００４１】  各部品は手作業で容易に組立て得るように、各部品の嵌合寸法が設定されている。
【発明の効果】
【００４２】  第１の発明では、複数枚の載置棚が支持軸に回転可能に装着されているので、前記載置棚上に載置されている物品を手元に持ちきたすには、前記載置棚の縁部を把持して所望の物品が手前に来るように回転させれば当該物品を容易に取り出すことができる。
【００４３】  第２の発明では、複数枚の載置棚が鉛直方向に相互に離間して装着されているので、下段の載置棚にも物品を充分に載置することが可能となる。
【００４４】  第３の発明では、最下段の載置棚の底面に転接し、当該載置棚を底面から保持するローラが回転自在に装着されているので、最下段の載置棚に重量物を載置しても、当該載置棚が傾斜したり載置棚自体の回転が円滑でなくなるというようなことはない。
【００４５】  第４の発明では、最下段の載置棚には比較的重量物が載置され、上段の載置棚には比較的軽量物が載置されるように構成されているので、上段には軽量の調味料などを載置し、最下段には比較的重量が大である飲食物を載置すると、上部は軽く、下部は重くなって装置全体の安定性が高まる。
【００４６】  第５の発明では、支持軸に円筒状の保持筒が嵌入されており、当該保持筒の上端部に上段の載置棚が回転自在に装着されているので、前記上段の載置棚は前記保持筒に安定的に保持され、円滑に回転し得ることになる。
【００４７】  第６の発明では、最下段の載置棚は、基台にスペーサを介して装着されているので、当該スペーサの厚み寸法を適宜選択することによって、基台の上面と最下段の載置棚の下面との寸法を適宜設定することができる。
【００４８】  第７の発明では、保持筒の上端部と、上段の載置棚の下面との間に、軸受が介装されているので、上段の載置棚は保持筒の上端部でより円滑に回転することになる。
【００４９】  第８の発明では、最下段の載置棚の下面と、スペーサの上面との間に、軸受が介装されているので、最下段の載置棚はスペーサの上面で、より円滑に回転することになる。
【００５０】  第９の発明では、少なくとも基台と、支持軸と、各載置棚が相互に着脱可能に結合されているので、本装置を搬送する際には、これらの部品を分解して全体としてその体積を低減させ、また使用時にはこれらの部品を組み立てることが可能となる。
【図面の簡単な説明】
【図１】  本発明の一実施例の断面図である。
【図２】  本発明の一実施例の外観斜視図である。
【符号の説明】
１  基台
２  支持軸
３  保持筒
４  上段の載置棚
５  最下段の載置棚
６  調味料
７  飲食物
８  スペーサ
９  軸受
１０  軸受
１１  ローラ
１２  第３の載置棚
１３  座ぐり部
１４  フランジ部
１５  挿通孔
１６  軸部
【図１】
2007037950.tif 000003
【図２】
2007037950.tif 000004